(57)【要約】  本発明は、  −  基部（２）、および基部（２）から直立した要素（４）を備えるエンドピース（５）であって、直立要素（４）が少なくとも２つの別個の群（１０、１１）を画定している、エンドピース（５）と、  −  エンドピース（５）を受けるように構成された本体（３）と、  −  エンドピース（５）を本体（３）に対して軸（Ｘ）の周りで回転させるための手段とを備え、  直立要素群が、基部への取付けゾーンにおいて、互いに含まれない断面を有し、直立要素の少なくとも１つがエラストマ製である、化粧用デバイス（１）に関する。
2016500523.tif 000002
【特許請求の範囲】
【請求項１】
−  基部（２）、および前記基部（２）から直立した要素（４）を備えるエンドピース（５）であって、前記直立要素（４）が少なくとも２つの別個の群（１０、１１）を画定している、エンドピース（５）と、
−  前記エンドピース（５）を受けるように構成された本体（３）と、
−  前記エンドピース（５）を前記本体（３）に対して軸（Ｘ）の周りで回転させるための手段と
を備え、
前記直立要素群が、前記基部への取付けゾーンにおいて、互いに含まれない断面を有し、かつ前記直立要素の少なくとも１つがエラストマ製であり、
前記基部（２）への取付けゾーンにおいて、エラストマ製の前記直立要素（４）が、前記基部（２）の全表面積の２０％超を占める、化粧用デバイス。
【請求項２】
前記直立要素群（１０、１１）が、別個の角度部分を画定することを特徴とする、請求項１に記載のデバイス。
【請求項３】
前記エンドピースが、２〜８の間の直立要素群、好ましくは２〜４の間の直立要素群を備えることを特徴とする、請求項１または２に記載のデバイス。
【請求項４】
前記エンドピースが、３つ以上の直立要素群を備え、少なくとも２つの群が同一であり、隣接していないことを特徴とする、請求項１から３のいずれか一項に記載のデバイス。
【請求項５】
前記群が、前記基部への取付けゾーンにおいて、同一の表面積を有する区画を画定することを特徴とする、請求項１から４のいずれか一項に記載のデバイス。
【請求項６】
前記エンドピースが、部分的に剛毛があることを特徴とする、請求項１から５のいずれか一項に記載のデバイス。
【請求項７】
前記エンドピースが、前記軸（Ｘ）を通る対称の中央面を有さないことを特徴とする、請求項１から６のいずれか一項に記載のデバイス。
【請求項８】
前記別個の直立要素は、それらの形状および／またはそれらが作られる材料において互いに異なることを特徴とする、請求項１から７のいずれか一項に記載のデバイス。
【請求項９】
前記基部の表面積が、３ｃｍ２よりも大きく、好ましくは５ｃｍ２よりも大きいことを特徴とする、請求項１から８のいずれか一項に記載のデバイス。
【請求項１０】
請求項１から９のいずれか一項に記載のデバイスの使用することを含む化粧方法。
【請求項１１】
請求項１から９のいずれか一項に記載のデバイスを備えるキット。
【請求項１２】
請求項１から９のいずれか一項に記載のエンドピースが収容される貫通孔を備える、化粧品容器を備えるアセンブリ。
【発明の詳細な説明】
【技術分野】
【０００１】
本発明の主題は、マッサージを行い、ケア組成物を含んだ化粧品組成物を体表面、特に身体または顔に塗布するためのデバイスである。
【０００２】
特に、このエンドピースは、身体のある帯域をマッサージする分野、および皮膚を洗浄する、特に皮膚の毛穴から不純物を除去するために深部洗浄する分野において特に有利である。このデバイスはまた、身体の洗浄またはケアに応用するのにも有用となり得る。
【背景技術】
【０００３】
「化粧品」という表現は、１９９３年６月１４日付けのＥＵ理事会指令９３／３５／ＥＥＣ（Council Directive 93/35/EEC）で定義された製品を意味するものとして理解されたい。
【０００４】
エアゾール器と、エアゾール器に取り付けられ、電機モータによって駆動される回転マッサージ部材を備えるデバイスとを備えるアセンブリを用いた化粧品組成物の塗布が、特許文献１から知られている。
【０００５】
本発明は、マッサージを行い、ある種の化粧品活性剤を塗布する新規な手法を提供することを目的とする。
【０００６】
特許文献２には、化粧品組成物を分注し、塗布するアセンブリであって、
−  化粧品組成物を収容した容器（receptacle）と、
−  エンドピースと、
−  塗布デバイスと
を備え、前記塗布デバイスが、
−  容器およびエンドピースを受けるように構成された本体と、
−  エンドピースを本体に対して回転させるための手段と、
−  組成物を容器からアプリケータの塗布表面の方に搬送するダクトと
を備える、アセンブリが開示されている。
【０００７】
この文献の教示によれば、回転によってマッサージ作用、皮膚剥脱作用、および組成物塗り広げ作用の少なくとも１つを実施することが可能となり、これによって新感覚の塗布感を生み出すことができ、また、化粧品組成物の１種または複数種の活性剤の効果を高めることができる。
【０００８】
また、この文献によれば、エンドピースには、マッサージ用起伏、たとえばスパイクまたはボールが設けられている。しかし、エンドピースの特定の起伏に関連した利点は実証されていない。
【０００９】
特許文献３は、身体マッサージデバイスの本体に取り付けられることになる対称ドーム形の剛毛のエンドピースについて記載している。このドーム形状のため、エンドピースによって加えられる最大圧力は、エンドピースの回転中、その中央に位置する。さらに、エンドピースを体表面に対して静止させたまま保持すると、剛毛によってこの体表面のある点に加えられる圧力は、常に同じとなる。エンドピースの回転中、所与の点における接触圧力に周期的な変動は生じない。
【００１０】
互いに含まれた部分によって形成されたエンドピースもまた存在し、各部分は異なる性質または形状を有する直立要素を備える。そのようなエンドピースを処置すべき表面上に配置した場合、エンドピースを回転させても、処置すべき表面上のあらゆる点で同じ効果が得られるものではない。
【００１１】
そのようなエンドピースに伴う欠点はまた、異なる性質または形状を有する直立要素を備える各部分による利点が、処置すべき表面のあらゆる点で得られるものではないことにある。
【先行技術文献】
【特許文献】
【００１２】
【特許文献１】欧州特許出願公開第１７２８４９４号明細書
【特許文献２】仏国特許出願公開第２９１８５４５号明細書
【特許文献３】米国特許第７４６９７０３号明細書
【特許文献４】米国特許出願公開第２００６／０２７６７３１号明細書
【発明の概要】
【発明が解決しようとする課題】
【００１３】
本発明が対処する課題は、エンドピースが、
−  様々な効果、特に洗浄効果およびマッサージ効果を生じること
ができ、
−  その処置は、身体の選択されたあらゆる帯域で同一でなければならない
という回転デバイスを提供することである。
【００１４】
身体または顔のマッサージの範囲では、たとえば眼の周り（contour of the eyes）の領域の鬱血除去効果が得られるように、血液循環またはリンパ液循環を改善させながらも、安息感を高めるエンドピースが求められている。
【００１５】
顔の洗浄またはケアの範囲では、ソフトであるが、不備なく顔色にムラがなく赤みを生じない清潔な皮膚を得るのに有効なマッサージ用エンドピースが求められている。このために、洗顔の目的は、特に脂性肌、またはニキビがちな肌では、Ｐ．アクネス（P. acnes）などの細菌が皮膚の毛穴で増殖するのを回避することである。普通肌から乾燥肌として知られる肌では、洗顔の主な目的は、死滅した皮膚を除去することである。
【００１６】
また、化粧品組成物がパッケージングされているいかなるデバイスにも取り付けることができ、特にそれらのデバイスが洗顔用の活性剤を収容している場合に取り付けることができる、低コストのマッサージ用エンドピースを提供することが求められている。
【００１７】
また、その操作によって、様々なレベルの皮膚洗浄が可能となるマッサージ用エンドピースが求められている。
【００１８】
また、頬骨、ならびに鼻の両側を洗浄することが可能となるように、顔のくぼみおよび起伏に適したマッサージ用エンドピースが求められている。
【００１９】
化粧品を泡状にすることによって、マッサージ用エンドピースが皮膚の表面全体にわたって滑動しやすくなるので、有効な深部洗浄が促される。
【００２０】
また、化粧品を適正に塗布しながら、または深部洗浄を行いながらも新しいタイプの感覚をもたらし、かつ血液循環およびリンパ液循環を向上させるようにマッサージを行うマッサージ用エンドピースがやはり求められている。
【００２１】
本発明の目的は、回転中に、様々な要素によるユーザの皮膚に対する作用が交互になるように、異なる材料または異なる塗布要素で構成されたエンドピースを備える回転アプリケータを提案することによって、上記で認識された問題のすべて、またはいくつかを解決することである。
【課題を解決するための手段】
【００２２】
本発明の主題は、
−  基部、および基部から直立した要素を備えるエンドピースであって、これらの直立要素が少なくとも２つの別個の（distinct）直立要素群を画定している、エンドピースと、
−  エンドピースを受けるように構成された本体と、
−  エンドピースを本体に対して軸（Ｘ）の周りで回転させるための手段と
を備え、
直立要素群が、基部への取付けゾーンにおいて互いに含まれない断面を有し、
少なくとも１つの直立要素がエラストマ製であり、
基部への取付けゾーンにおいて、エラストマ製の直立要素が、基部の全表面積の２０％超を占める、化粧用デバイスである。
【００２３】
この比率のエラストマ製の要素によって、このデバイスは確実に可撓性となり、また、皮膚との接触が確実に心地よくなる。このデバイスは、より使いやすい。このデバイスは、身体の表面にぴったり沿う。
【００２４】
有利には、基部への取付けゾーンにおいて、エラストマ製の直立要素は、基部の全表面積の３０％〜９０％の間を占める。
【００２５】
より有利には、基部への取付けゾーンにおいて、エラスト製の直立要素は、基部の全表面積の４０％〜８０％の間を占める。
【００２６】
本発明によるデバイスを用いると、エンドピースの回転中に、処置帯域をマッサージし、循環を向上させながらも、ソフトな表面による洗浄と、ラフな表面による洗浄とを交互に施すように、直立要素の性質を皮膚に対して交互にすることが可能となる。たとえば、リラクセーションの向上を実現するために、様々な圧力レベルを交互に印加することが可能となる。異なる性質を有する要素を交互にすることに関して、これによって洗浄に伴って穏やかなピーリングを実現することが可能となる。
【００２７】
本発明はまた、上記のデバイスの使用を含む化粧方法に関する。
【００２８】
本発明によれば、直立要素は、自由端で各々終端している。この端部は、デバイスの使用中、処置すべき表面、特に皮膚と接触することになる。
【００２９】
有利には、直立要素は、マッサージおよび塗布要素である。
【００３０】
本発明の意味の範囲では、「直立要素群は、互いに含まれない断面を有する」とは、断面で解体すると、互いに含まれず、互いに分離しており、または互いに収容されず、または独立していることを意味するものとして理解されたい。
【００３１】
本発明によれば、「中央面」とは、ブラシの回転軸（Ｘ）を通る、基部に対して垂直な面を意味するものとして理解されたい。
【００３２】
本発明はまた、上記のデバイスを備えるキットに関する。
【００３３】
本発明はまた、上記で規定されたエンドピースに関する。
【００３４】
基部の表面上に少なくとも２種類の直立要素があるので、これらの要素間で相乗作用が生じ、したがって１種類の直立要素しか備えない洗浄エンドピースによって得られる皮膚洗浄よりも優れた皮膚洗浄が促される。第２の直立要素群によってもたらされる利点は、第２の直立要素群では、皮膚との有効接触表面が、たとえば第１の要素群によってもたらされる有効接触表面よりもはるかに広くなることである。
【００３５】
有利には、各群は、少なくとも３本、好ましくは少なくとも５本の直立要素を備える。具体的には、直立要素が多いほど、より高い相乗作用を観察することができる。
【００３６】
たとえば、まったく同一の要素群が、２つの要素群のうち他方の群が植設された表面よりも小さい、またはそれに等しい面積を有する表面にわたって植設される。特に、第２の要素群の植設表面は、第１の要素群の植設表面よりも大きい。これらの表面の各々にある要素の植設密度は、一方の表面から他方の表面で変動してもよい。同様に、まったく同一の表面上の隣接する要素間で見られる平均距離は、他方の表面で見られる平均距離とは異なってもよい。
【００３７】
本発明によれば、マッサージ用エンドピースは、独特の２つの表面を有することができる。しかし、代替形態として、マッサージ用エンドピースはまた、３つ以上の別個の表面を有してもよい。
【００３８】
本発明によれば、身体の処置表面の各点は、各種の直立要素の効果を享受することができる。
【００３９】
有利には、直立要素群は、別個の角度部分を画定している。この配列によって、処置表面に対する各群の有効な効果が確実に得られることになる。
【００４０】
本発明のデバイスの一実施形態によれば、エンドピースは、４つ以上の直立要素群を備え、少なくとも２つの群は同一であり、隣接していない。各群がそのように分布しているので、反復効果によって特定の１つの群の有効性を増大させることが可能である。
【００４１】
有利には、これらの群は、基部への取付けゾーンで、同一の表面積を有する区画を画定している。したがって、これらの区画の分布は同一であり、処置表面に対するそれらの群の作用期間も同じとなる。
【００４２】
より有利には、エンドピースには、部分的に剛毛がある。
【００４３】
特定の一実施形態では、エンドピースは、軸（Ｘ）を通る対称の中央面を有さない。
【００４４】
好ましくは、基部の表面積は３ｃｍ２よりも大きく、好ましくは５ｃｍ２よりも大きい。この寸法は、顔の輪郭に特に適している。その表面積は、好ましくは１５０ｃｍ２未満である。３０ｃｍ２〜１５０ｃｍ２の間の寸法が、身体（腿部、殿部、腹部、背部など）の輪郭に適合する。
【００４５】
より好ましくは、別個の直立要素は、形状および／または作成される材料が互いに異なる。
【００４６】
熱可塑性材料
「熱可塑性材料」とは、たとえばＳＥＢＳ、シリコーン、ラテックス、天然ゴム、スリップ性が改善された材料、ブチル、ＥＰＤＭ、ニトリル、熱可塑性エラストマ「ＴＰＥ：  ｔｈｅｒｍｏｐｌａｓｔｉｃ  ｅｌａｓｔｏｍｅｒ」、ポリエステルエラストマ、ポリアミドエラストマ、ポリエチレンエラストマ、またはビニルエラストマ、ＰＥもしくはＰＰなどのポリオレフィン、特に低濃度ＰＥ、ＰＶＣ、ＥＶＡ、ＰＳ、ＳＩＳ、ＰＥＴ、ＰＯＭ、ＰＵ、ＳＡＭ、ＰＡ、もしくはＰＭＭＡのいかなる熱可塑性材料も意味するものとして理解されたい。そのような材料は、表面が濡れると、特に適切な表面張力特性のため、急速に乾燥するという特性を有する。商標名Ｔｅｆｌｏｎ（登録商標）、Ｈｙｔｒｅｌ（登録商標）、Ｃａｒｉｆｌｅｘ（登録商標）、Ａｌｉｘｉｎｅ（登録商標）、Ｓａｎｔｏｐｒｅｎｅ（登録商標）、Ｐｅｂａｘ（登録商標）、およびＰｏｌｌｏｂａｓ（登録商標）として知られる材料を特に使用することが可能である。直立要素を作製するために使用される材料は、軟化剤および／または殺菌剤、たとえば銀イオンなどを含有することができる。
【００４７】
マッサージおよび塗布デバイス
エンドピースを回転手段によって回転させる際、エンドピースの回転速度は、たとえば、１００〜４００ｒｐｍの間、好ましくは２００〜３００ｒｐｍの間でよい。
【００４８】
エンドピースは、本体に対して固定された幾何学的回転軸（ｇｅｏｍｅｔｒｉｃ  ｒｏｔａｔｉｏｎ  ａｘｉｓ）の周りで回転させることができる。変形形態として、エンドピースは、本体に対して動かすことができる幾何学的回転軸の周りで回転させてもよい。必要であれば、エンドピースの運動を偏心運動としてもよく、こうすることによって、組成物をより一様に、処置済領域と未処置領域との間の境界がそれほど目立たないように塗り広げることが可能となり、これはおそらくたとえば人工日焼け用クリームの場合に有利である。
【００４９】
エンドピースは、容器の長手軸に対してゼロ度またはゼロ度以外の角度を成す幾何学的回転軸の周りで回転させることができる。ゼロ度以外の角度では、人間工学を改善することができる。
【００５０】
回転方向は、時計回りでも反時計回りでもよい。
【００５１】
このエンドピースは、マッサージおよび塗布デバイスに取外し可能に取り付けることができ、これによってエンドピースを洗浄する、かつ／または実施すべき処置に依存して選択された別のエンドピースと交換する、あるいはエンドピースが摩耗した後、廃棄するために塗布デバイスから分離することが可能となる。
【００５２】
直立要素を形成する材料
直立要素は、弾性的に変形可能かつ／または圧縮可能な気泡材料を備えることができる。この材料は、発泡体でよい。発泡体は、次の一覧、すなわちポリウレタン、ポリエーテル、ポリエステル、ポリ塩化ビニル、ポリエチレン、ＥＶＡ、ラテックス、シリコーン、ＳＩＳ、ＳＥＢＳ、シリコーンエラストマ、ラテックスエラストマ、ニトリルエラストマ、ブチルエラストマ、Ｎｅｏｐｒｅｎｅ（登録商標）、ＮＢＲ、ＳＢＲから選択された材料から作製することができるが、この一覧に限定されるものではない。
【００５３】
直立要素は、異なる性質を有する複数の層、たとえばいくつかの種類の発泡体を有する複合構造体を有することができる。
【００５４】
直立要素は、いかなる形状も有することができる。直立要素は、円形、楕円形、または多角形の断面、たとえば三角形、正方形、六角形などの断面を有することができる。
【００５５】
直立要素は、研磨特性を有することができる。「研磨特性」とは、皮膚上で動かすと、その表面から死滅細胞の少なくとも幾分かを除去する表面を意味するものとして理解すべきである。
【００５６】
そのような表面は、０．０１〜０．０３ｇ／ｃｍ２／分の研磨力を特徴とすることができる。研磨力とは、１３５ＷのＢｌａｃｋ  ａｎｄ  Ｄｅｃｋｅｒ  ＣＤ４００研磨機を用いて、厚さ５０ｍｍを有するプラスタ片にあてがわれた研磨表面の１平方センチメートル当たり１分間に除去されるプラスタの量に相当し、このプラスタ片に加わる圧力は、研磨表面の平面における研磨機の動きを拘束した場合の、研磨機の重量によるものである。
【００５７】
そのような直立要素は、実質的に剛性の気泡材料を考慮することによって、または硬質粒子を可撓性の気泡材料に組み込むことによって得られる。
【００５８】
研磨表面の一例は、３Ｍから販売されている不織布剥離パッドである。
【００５９】
発泡体は、特に化粧品を塗り広げるのに適した軟質、かつ可撓性の発泡体でよく、時にはスポンジとしても知られる。
【００６０】
直立要素は、たとえば３２ｋｇ／ｍ３に等しい密度を有する、たとえば親水性の架橋ポリエステル発泡体でよい。
【００６１】
スポンジは従来、ファンデーションを塗布するために使用されており、ＮＢＲ、たとえばＰｅｎｔｈｏｕｓｅ  ＧｒｏｕｐのＹｕｋｉｌｏｎ（登録商標）などもやはり考えられる。
【００６２】
直立要素は、熱圧縮発泡体でもよい。熱圧縮によって、発泡体の表面に起伏を生じる、かつ／または弾性繊維（ｅｌａｓｔｉｃ  ｆａｂｒｉｃ）と複合させることが可能となり、それによって可撓性であるが、プラスチックの生地感よりも心地よい生地感を発泡体に持たせることが可能となる。
【００６３】
熱圧縮発泡体の一例は、ポリオレフィン製の独立気泡発泡体であり、たとえば比重量３３ｋｇ／ｍ３を有する熱圧縮ポリエチレンを、たとえばＬｙｃｒａ（登録商標）などの弾性繊維と複合させたものである。
【００６４】
直立要素は、プラスチック材料、金属、またはガラス製のファイルでもよい。
【００６５】
直立要素は、射出成形可撓性プラスチック材料、たとえばエラストマ製であってもよく、マッサージを行う起伏、たとえば先が尖った端部、丸まった端部を有し、断面が円形、正方形、もしくは三角形、長さがたとえば１ｍｍ〜４０ｍｍの間のスパイク、または断面が円形もしくは楕円形、高さがたとえば１ｍｍ〜２０ｍｍの間のボールを有することができる。
【００６６】
直立要素は、たとえばＳＥＢＳまたはシリコーンなどのエラストマ製である。
【００６７】
直立要素は、合成剛毛または天然剛毛製のブラシでもよく、たとえば直径０．０５〜０．２ｍｍの間を有するポリアミドまたはＰＢＴの房状の毛束を有する剛毛ブラシでよく、特に直径０．０７５ｍｍを有するＮｙｌｏｎ（登録商標）６．１２製のものでよく、これらの剛毛は肌と接触したときに極めてソフトになるように研磨され研削されている。
【００６８】
直立要素の形状
各直立要素は、基部への取付けゾーンで画定される断面を有し、特に円形、楕円形、正方形、多角形、三角形、卵形、または星形の形状を有する。
【００６９】
基部への取付けゾーンで画定される断面はまた、ある曲線に沿って延ばしてもよい。たとえば、この曲線は、たとえば少なくとも３０ｍｍ超、さらに良好には少なくとも４５ｍｍ超の平均曲率半径を特徴とすることができる。この湾曲した形状のため、特に厚さが小さい場合に、直立要素にある種の剛性が付与される。
【００７０】
基部への取付けゾーンで画定される直立要素の断面は、要素が直立している表面の中央の方に面する凹部を各々有する線に沿って延ばしてもよい。
【００７１】
したがって、皮膚に対する手の動きは同じに保ちながらも、単にエンドピースの持ち方を変えるだけで、異なるレベルの洗浄を実現することができる。具体的には、この簡単な操作によって、マッサージ要素、特に第２のマッサージ要素群の位置決めが行われることになり、この位置決めは皮膚に対してまったく異なることになる。皮膚上で前後に手を動かすことによって、第２の要素群の皮膚に対する向きが簡単に変わり、それによって異なる種類の洗浄を実現することができる。
【００７２】
有利には、直立要素が広がりやすくなるように、直立要素は、取付けゾーンにおける断面と、その自由端における断面との間で寸法を低減させることができる。したがって、直立要素は、自由端の方が基部よりも可撓性である。
【００７３】
直立要素の植設
「直立要素の端部」とは、直立要素の基部から最も遠くにあり、基部への取付けゾーンを起点として自由端の方向に延びる主延長軸上に位置する先端を意味するものとして理解されたい。
【００７４】
「直立要素の高さ」とは、直立要素の主延長軸に沿ってそれらの要素の自由端の方向に測定した距離を意味するものとして理解されたい。好ましくは、直立要素の高さは１ｍｍ〜３ｃｍの間である。
【００７５】
「直立要素の厚さ」とは、直立要素の基部への取付けゾーンで測定した直立要素の断面の最大値を意味するものとして理解されたい。好ましくは、直立要素の厚さは０．１ｍｍ〜０．５ｃｍの間である。
【００７６】
有利には、このデバイスは、極値寸法の２つの要素間の高さの差は、１．５ｃｍ未満、好ましくは１ｃｍ未満、より好ましくは０に等しくなるような直立要素を備える。この差によって、最も高い要素と、最も短い要素によるリラクセーションとを皮膚に対して有効に交互にすることが可能となる。
【００７７】
「極値寸法の２つの要素」とは、基部上の最大高さを有する要素と、基部上の最小高さを有する要素とであることを理解されたい。
【００７８】
特定の実施形態によれば、アプリケータは、基部に対して直角の軸の周りで軸対称に植設された直立要素を備えることができる。したがって、ユーザがこのマッサージ用エンドピースを左手で操作しようとも右手で操作しようとも差は生じず、または回転方向が時計回りでも反時計回りでも差は生じない。
【００７９】
たとえば、要素が直立している基部の表面は、平坦である。この場合、基部への取付けゾーンにおける要素の断面は、基部の表面の平面に生じる区画に対応する。
【００８０】
顔または身体の表面で見られる起伏に特によりよく適するように、直立要素の各々の自由端を通る表面は、凹部を画定している。
【００８１】
本発明はまた、上記で規定されたエンドピースが中に収容される貫通孔を備える化粧品容器を備えるアセンブリに関する。
【００８２】
特に、この容器は、チューブまたはボトルでよい。
【００８３】
本発明の非限定的な実装形態の次の説明を、添付の図面を参照しながら読めば、本発明をよりよく理解することができる。
【図面の簡単な説明】
【００８４】
【図１】本発明によるデバイスの一例を概略的に示す正面図である。
【図２】本発明によるエンドピースの概略斜視図である。
【図３】基部への取付けゾーンで画定された、本発明によるエンドピースの断面図である。
【図４】基部への取付けゾーンで画定された、本発明によるエンドピースの断面図である。
【図５】基部への取付けゾーンで画定された、本発明によるエンドピースの断面図である。
【図６】基部への取付けゾーンで画定された、本発明によるエンドピースの断面図である。
【図７】基部への取付けゾーンで画定された、本発明によるエンドピースの断面図である。
【図８】基部への取付けゾーンで画定された、本発明によるエンドピースの断面図である。
【図９】基部への取付けゾーンで画定された、本発明によるエンドピースの断面図である。
【図１０】基部への取付けゾーンで画定された、本発明によるエンドピースの断面図である。
【発明を実施するための形態】
【００８５】
図１は、本発明に従って作製されたデバイス１を示す。
【００８６】
このデバイス１は、本体３を備え、この本体３に、皮膚と接触することになる塗布表面を画定しているエンドピース５を取り付けることができる。
【００８７】
デバイス１は、たとえば特許文献４に従って作製される。
【００８８】
本体３は、エンドピース５を本体３に対して回転運動で回転させるための手段を収容することができる。
【００８９】
この運動は、たとえば本体３に対して固定された回転軸Ｘの周りでの回転運動である。
【００９０】
この回転手段は、本体３に収容された電気モータを備えることができ、１つまたは複数のバッテリによって電力供給され、ギヤによってエンドピースを軸Ｘの周りで回転させる。
【００９１】
電力はまた、バッテリまたは充電式バッテリによって供給することができる。
【００９２】
図１に示す例では、エンドピース５は、塗布表面３０を画定している直立要素４を備える。これらの直立要素は、基部２に固定され、自由端１１で終端している。
【００９３】
図２の例では、エンドピースは、本発明に従ったものである。このエンドピースは、２つの部分１０および１１を備え、剛毛の毛束で各々構成されている。部分１０の毛束は部分１１の毛束よりも多くの剛毛を備える。したがって、これら２つの部分の剛毛の毛束は異なっている。それらの２つの部分は、おおよそ等しい寸法を有する２つの角度区画を形成している。
【００９４】
領域１０を構成する要素はまた、次の一覧から選択することができる。
・剛毛繊維（ナイロンなど）
・様々な形状を有するエラストマスパイク
・様々な形状、すなわちボール、波、または様々なマッサージ形状を有するエラストマ製の剛性スパイク
・スポンジまたは他の何らかの多孔性材料
【００９５】
領域１１を構成する要素はまた、次の一覧から選択することができる。
・剛毛繊維（ナイロンなど）
・様々な形状を有するエラストマスパイク
・様々な形状を有する剛性スパイク
・エラストマ製のボール、波、または様々なマッサージ形状
・剛性材料（プラスチック材料、ガラス、金属、セラミックなど）製のボール、波、または様々なマッサージ形状
・スポンジ、発泡体、または他の何らかの多孔性材料
【００９６】
本発明によれば、エラストマは、特に熱可塑性エラストマ「ＴＰＥ」、ポリエステルエラストマ、ポリアミドエラストマ、ポリエチレンエラストマ、またはビニルエラストマである。
【００９７】
図３〜図１０は、基部への取付けゾーンにおける要素の断面を示す。
【００９８】
これらの図は、直立要素群１０、１１、１２、１３、１４、１５、１６を示している。これらの群はそれぞれ別個であり、互いに含まれていない。これらの群は、単純な角度部分（図３〜図６）または複雑な角度部分（図７〜図９）を形成している。図１０は、ストリップ１１によって分離された２つの部分１０および１２を示している。
【００９９】
本発明によるデバイスを使用するために、たとえばエンドピースを回転させずに組成物を塗布することが可能であり、こうすることによって、たとえばその組成物を処置すべき領域に塗り広げることが可能となる。次いで、組成物が塗布された領域をマッサージするためにエンドピースを回転させる。
【０１００】
別の例では、エンドピースは、組成物を分注せずに、処置すべき領域をマッサージするために回転させる。
【０１０１】
さらに別の例では、エンドピースは、組成物を最初は分注せずに、処置すべき領域をマッサージするために回転させる。
【０１０２】
マッサージ作用によって、たとえばエンドピースの皮膚に対する摩擦のため、局所加熱を引き起こすことができ、最初にエンドピースに組成物がないので、摩擦、および摩擦から生じる温感を増大させることができる。
【０１０３】
次に、エンドピースをなおも回転させたまま、または変形形態として、エンドピースを停止させて、組成物を分注し、すでにマッサージした領域に塗り広げることができる。
【０１０４】
上記説明の全体を通して「〜を備える」という表現は、そうでないことが明記されない限り、「少なくとも１つの〜を備える」と同義であると見なすべきである。
【符号の説明】
【０１０５】
１  デバイス
２  基部
３  本体
４  直立要素
５  エンドピース
１０、１１、１２、１３、１４、１５、１６  直立要素群
１１  自由端、ストリップ
３０  塗布表面
【図１】
2016500523.tif 000003
【図２】
2016500523.tif 000004
【図３】
2016500523.tif 000005
【図４】
2016500523.tif 000006
【図５】
2016500523.tif 000007
【図６】
2016500523.tif 000008
【図７】
2016500523.tif 000009
【図８】
2016500523.tif 000010
【図９】
2016500523.tif 000011
【図１０】
2016500523.tif 000012
【国際調査報告】
2016500523.tif 000013
2016500523.tif 000014